(57)【要約】      （修正有）【課題】パイプを支持する保持具において、パイプの端部の抜き差し操作を容易に行え、挿入されたパイプの端部を挿入位置に安定して固定可能とする、パイプ保持具を提供する。【解決手段】留めネジが挿通するネジ孔を有する基部１１と基部１１の前面側に突出していて上方が開口したパイプ保持部１２とを合成樹脂材料で一体成形して保持具１を形成する。パイプ保持部１２は、断面弓形に湾曲した底面部１２ａと両側面部１２ｂとで凹路状に形成する。両側面部１２ｂ内に窄まり部１２ｃを配置し、基部１１との付け根部にはスリット１４を形成して、両側面部１２ｂ間が内外方向へ弾性変形し得るように構成する。【選択図】図２
0003235591.tif 000002
【実用新案登録請求の範囲】
【請求項１】
留めネジが挿通するネジ孔（１１ａ）を有する基部（１１）と、基部（１１）の前面側に突出していて上方が開口したパイプ保持部（１２）とが一体に成形された合成樹脂製のパイプ保持具（１）であって、
前記パイプ保持部（１２）は、パイプ（２）の端部が載って当該パイプ（２）の下半部を包囲して支持する断面弓形に湾曲した底面部（１２ａ）と、底面部（１２ａ）の両側から上方へ連なった両側面部（１２ｂ，１２ｂ）とを備え、
前記両側面部（１２ｂ，１２ｂ）は、それぞれ前記底面部（１２ａ）の上端部から内向きに湾曲した円弧面を有して両側面部（１２ｂ，１２ｂ）間を前記パイプ（２）の外径よりも窄まらせ、且つこの窄まり部分（１２ｃ）の上部に外向きに湾曲した円弧面（１２ｂ１，１２ｂ２）を配置して両側面部（１２ｂ，１２ｂ）の上端部間を前記パイプ（２）の外径よりも広げた形状に形成されているとともに、
前記両側面部（１２ｂ，１２ｂ）と前記基部（１１）との付け根部に当該両側面部（１２ｂ，１２ｂ）の上端から下方へ延びたスリット（１４）が設けられた構成を有することを特徴とするパイプ保持具（１）。
【請求項２】
基部（１１）とパイプ保持部（１２）の下部を補強する補強面部（１３）が一体に成形されていることを特徴とする請求項１に記載のパイプ保持具（１）。
【請求項３】
壁面（３）に基部（１１）を取り付けたときに、壁面（３）に基部（１１）と補強面部（１３）の端部が接合するとともに、補強面部（１３）と基部（１１）との境界（１Ａ）と補強面部（１３）の下端部（１Ｂ）とパイプ保持部（１２）の先端部（１Ｃ）とがトラス構造を形成して、パイプ（２）の荷重を受けて支持するように構成されていることを特徴とする請求項２に記載のパイプ保持具（１）。
【請求項４】
スリット（１４）はパイプ保持部（１２）の両側面部（１２ｂ，１２ｂ）の上端から底面部（１２ａ）の上端に至る深さに形成されていることを特徴とする請求項１から３の何れかに記載のパイプ保持具（１）。
【考案の詳細な説明】
【技術分野】
【０００１】
本考案は、クローゼットや押し入れの中などの衣服の収納スペースに設置されるハンガーパイプや、室内空間や屋内の間仕切りパネルで囲われた空間内に仕切用のカーテンやブラインドスクリーンなどを吊るしたり掛けたりするために設置されるパイプを支持する保持具の構造に関する。
【背景技術】
【０００２】
クローゼットは、その内部の対向壁面に取り付けられたパイプ保持具（以下、単に「保持具」ともいう。）に、ハンガーパイプ（以下、単に「パイプ」ともいう。）が架け渡され、水平に保持されたパイプに衣服を掛けたハンガーを吊り下げて衣服が収納されるようになっている。
【０００３】
普段よく着る衣服をクローゼットに収納しておく場合、夏服や冬服のように季節に応じて収納する衣服を入れ替えたり、吊るす衣服の配置を変えたりすることがある。
【０００４】
この際、例えばコートなどの嵩張りやすい冬服はクローゼット内で横一列に吊るし、夏服や子供用の衣服はクローゼット内で前後二列に吊るすなどの利便性を考慮して、内部のパイプの取り付け位置を適宜に変更し設定できるようにした構造のクローゼットも多い。
【０００５】
このような構造のクローゼットは、パイプの端部を着脱自在に支持し得るように形成された保持具が用いられ、この保持具がクローゼットの対向内壁面に前後に間隔を開けて複数列に並べて取り付けられ、クローゼット内のパイプの架設位置を任意に選択し得るように設けられている。
【０００６】
また、近時蔓延している新型肺炎に家族が感染している疑いがある場合に、家庭内での感染を防ぐために室内に仕切用のカーテンを設置して隔離用の空間を確保する必要が生じることがある。
また、大規模地震や土砂災害などの自然災害の発生により、公民館や体育館などに避難した住民が避難場所で長期間に亘る生活を強いられる場合は、屋内に設置された間仕切りパネルで区画された空間内をブラインドスクリーンなどで仕切って、避難した住民のパーソナルスペースを確保することが行われている。
このような場合に、室内の壁面や間仕切りパネルの表面にパイプ保持具を取り付け、前記保持具で支持されて対向壁面又は間仕切りパネル間に架設されたパイプに仕切用のカーテンやブラインドスクリーンを吊るしたり掛けたりするようにしている。
【考案の概要】
【考案が解決しようとする課題】
【０００７】
パイプの端部を着脱自在に支持する保持具としては、パイプの端部を支持する部分を上部が開口した断面Ｕ字形に設け、このＵ字形の部分に上方からパイプの端部を挿入して支持させる形態のものが一般的である。
【０００８】
この形態のものは、パイプの挿入と抜き取りが簡便であるものの、例えばパイプに吊るした衣服を取り出す際にパイプに上向きの力が加わったときにパイプが保持具から外れやすいという欠点がある。前記Ｕ字形の部分の内面にパイプを挿入位置に固定しておく手段、例えば挿入されたパイプの端部側面に圧接して固定するバネ片を設けたものもあるが、パイプの抜き差しを繰り返すうちに固定力が弱まってしまい、長期の固定効果は期待できない。
【０００９】
本考案は従来技術の有するこのような問題点に鑑み、パイプを支持する保持具において、パイプの端部の抜き差し操作を容易に行え、しかも挿入されたパイプの端部を当該挿入位置に安定して固定しておくことができるようにすることを課題とする。
【課題を解決するための手段】
【００１０】
前記課題を解決するため本考案の保持具は、留めネジが挿通するネジ孔を有する基部と基部の前面側に突出していて上方が開口したパイプ保持部とが一体に成形された合成樹脂製の保持具であり、
前記パイプ保持部は、パイプの端部が載って当該パイプの下半部を包囲して支持する断面弓形に湾曲した底面部と、底面部の両側から上方へ連なった両側面部とを備え、
前記両側面部は、それぞれ前記底面部の上端部から内向きに湾曲した円弧面を有して両側面部間を前記パイプの外径よりも窄まらせ、且つこの窄まり部の上部に外向きに湾曲した円弧面を配置して両側面部の上端部間を前記パイプの外径よりも広げた形状に形成されているとともに、
前記両側面部と前記基部との付け根部に当該両側面部の上端から下方へ延びたスリットが設けられた構成を有することを特徴とする。
また、前記基部と前記パイプ保持部の下部を補強する補強面部が一体に成形されていることを特徴とする。
さらに、前記スリットは前記パイプ保持部の両側面部の上端から底面部の上端に至る深さに形成されていることを特徴とする。
【００１１】
また、本考案の保持具は、壁面に基部を取り付けたときに、壁面に基部と補強面部の端部が接合するとともに、補強面部と基部との境界（１Ａ）と補強面部の下端部（１Ｂ）とパイプ保持部の先端部（１Ｃ）とがトラス構造を形成して、パイプの荷重を受けて支持するように構成されていることを特徴とする。
【００１２】
本考案の保持具は、クローゼットなどの収納スペースの壁面に基部をあてがい、ネジ孔に通した留めネジを壁面に螺合して取り付けられる。対向壁面にも同様に保持具を取り付け、両保持具でパイプの両端部を支持させることで、衣服を吊るすパイプが収納スペース内に設置される。
或いは、室内の壁面や屋内に設置された間仕切りパネルの表面に基部をあてがい、ネジ孔に通した留めネジを前記壁面やパネル表面に螺合して取り付けられ、対向壁面やパネル表面に取り付けられた保持具とともにパイプの両端部を支持することで、仕切用のカーテンなどを吊るしたり掛けたりするパイプが室内や屋内の空間内に設置される。
保持具へのパイプの挿入は、パイプの端部をパイプ保持部の両側面部の上端部にあてがい、そのまま下方へ押し込んでパイプ保持部の底面部上に載せることで行うことができる。
【００１３】
パイプ保持部の両側面部は、その上端部よりも下側にパイプの外径よりも狭い窄まった部分が配置されており、両側面部の上端部にパイプの端部をあてがっただけでは、パイプはパイプ保持部内に進入しないが、両側面部と基部との付け根部にスリットが形成されて両側面部がその内外方向へ弾性変形可能となっているため、前記両側面部の上端部にあてがったパイプの端部を強く下方へ押し込めば、両側面部が外側へ変形してパイプが前記窄まった部分を乗り越えて底面部に進入し、パイプ保持部に挿入させることができる。パイプが前記窄まった部分を通過してパイプ保持部に挿入されると、外側へ変形した両側面部は元の位置に復元する。
パイプ保持部に挿入されたパイプは、底面部上に載ってその周囲が底面部と両側面部とに包囲されて、挿入位置に保持される。しかも、前記底面部上に載ったパイプの上方には両側面部の窄まった部分が配置されるため、パイプに上向きの力が加わって上方へ変位しても、前記窄まった部分がパイプに衝突して上方への変位を規制し、パイプ保持部から抜け外れることを防止してパイプを挿入位置に固定することができる。
【００１４】
パイプを保持具から取り外すときは、パイプの端部を上方へ引き上げるとパイプの表面が前記両側面部の窄まった部分に当接するが、強く引き上げれば前記両側面部が外側へ変形して前記窄まった部分が広がり、パイプをパイプ保持部から抜き取ることが可能である。パイプが前記窄まった部分を通過して抜き取られると、前記外側へ変形した両側面部は元の位置に復元する。
前記のように、保持具へのパイプの抜き差し操作の際に、弾性変形する両側面部は元の位置に復元するので、パイプの抜き差しを繰り返してもパイプ保持部に挿入されたパイプを挿入位置に固定する機能が低下することはない。
本考案のパイプ保持具を構成する合成樹脂材料としては、例えば、ポリプロピレンやポリアミドを用いることができるが、これに限定されない。
【００１５】
また、本考案のパイプ保持具は、図７に示されるように、壁面に基部を取り付けたときに、壁面に基部と補強面部の端部が接合するとともに、補強面部と基部との境界（１Ａ）と補強面部の下端部（１Ｂ）とパイプ保持部の先端部（１Ｃ）とが三角形のトラス構造を形成するように設けられている。
トラス構造とは、構造力学に基づいた構造形式の一種であり、構造で三角形を形成することで、外力による応力を軽減させる構造のことである。このトラス構造により、部材に発生するモーメントを抑制し、軸力のみの支持により掛かる荷重を増すことを実現した。
トラス構造によりモーメントを抑制した結果、製品に掛かる荷重は、圧縮又は軸力のみに軽減することを可能とした。
パイプ保持部とそれを下より支える構造力学的部位により、トラス構造を形成し、モーメントを抑制した結果、製品の耐久性が向上する。
【考案の効果】
【００１６】
本考案の保持具によれば、パイプの端部をパイプ保持部内に上方から押し入れることで挿入し支持させることができ、また、パイプ保持部内に挿入されたパイプの端部を上方へ引っ張って、パイプ保持部の窄まった両側面部間を押し広げる力を加えることでパイプを抜き外すことができ、パイプの抜き差し操作が極めて容易である。また、パイプ保持部に挿入されたパイプはその上方に窄まったパイプ保持部の両側面部が位置しているため抜け外れにくく、挿入位置に安定して固定しておくことが可能である。それらの条件は全て、パイプ保持部を下より支える構造力学的部位のトラス構造による、モーメントの抑制による荷重の安定を際立たせる。
【図面の簡単な説明】
【００１７】
【図１】パイプを支持した本考案の一実施形態の保持具の外観図である。
【図２】図１の保持具の外観斜視図である。
【図３】図１の保持具の正面図である。
【図４】図１の保持具の側面図である。
【図５】図１の保持具の横断面図である。
【図６】保持具にパイプを挿入するときにパイプ保持部の両側面部が弾性変形する態様を示した図である。
【図７】壁面に取り付けた保持具にパイプを支持させた状態の側面図である。
【考案を実施するための形態】
【００１８】
本考案の好適な一実施形態を、図面を参照して説明する。
なお、以下の実施形態は本考案を説明するための例示であり、本考案は実施形態のみに限定されるものではない。
【００１９】
図１は本考案の一実施形態の保持具にパイプを支持させた状態を示している。
同図に示されるように、本考案の保持具１は、クローゼットや押し入れの中などの衣服の収納スペースの壁面３や室内の壁面、或いは間仕切りパネルの表面に留めネジ（図示せず）などを用いて取り付けられ、図示されない対向壁面に取り付けられた保持具とでパイプ２の両端部を支持してパイプ２を水平に保持することで、衣服を掛けたハンガーや仕切用のカーテンなどをパイプ２に吊り下げたり掛けたりすることができるようにするものである。
【００２０】
詳しくは、図２から図５に示されるように、保持具１は合成樹脂を材料として、前記壁面３に接合して固定される基部１１と、基部１１の前面側に突出していて上方が開口したパイプ保持部１２と、基部１１とパイプ保持部１２の下部を補強する補強面部１３とを一体成形して構成してある。
【００２１】
基部１１は、その後面が前記壁面３にぴったりと接合するように面一に形成されており、その内部には留めネジのネジ部が貫通する二つのネジ孔１１ａ，１１ａが形成してある。
【００２２】
パイプ保持部１２は、基部１１の周縁部から当該基部１１の前方へ適宜な長さで突出していて、パイプ２の端部が載って当該パイプ２の下半部を包囲して支持する断面弓形に湾曲した底面部１２ａと、底面部１２ａの両側上端から上方へ連なった両側面部１２ｂ，１２ｂとにより、上方が開口した凹路状に形成してある。
【００２３】
より詳しくは、両側面部１２ｂ，１２ｂは、それぞれ前記底面部１２ａの上端部から内向きに湾曲した円弧面１２ｂ１，１２ｂ１を有して、両円弧面１２ｂ１，１２ｂ１間を、前記パイプ２の外径よりも幅狭な窄まり部１２ｃとしてある。
また、両側面部１２ｂ、１２ｂの前記窄まり部１２ｃの上部には外向きに湾曲した円弧面１２ｂ２，１２ｂ２が配置され、両側面部１２ｂ，１２ｂの上端部間を前記パイプ２の外径よりも幅広となるように形成してある。
さらに、パイプ保持部１２の両側面部１２ｂ，１２ｂと前記基部１１との付け根部には、両側面部１２ｂ，１２ｂの上端から下方へ延びていて前記底面部１２ａの上端に至る深さのスリット１４，１４が形成してある。
【００２４】
補強面部１３は、パイプ保持部１２の底面部１２ａの下面から基部１１の下方に亘って半割ドーム形の殻体を一体に設けた形状に形成してある。
詳しくは、保持具１の基部１１を壁面３に取り付けたときに、図７に示されるように、壁面３に基部１１と補強面部１３の端部が接合し、補強面部１３と基部１１との境界（１Ａ）と補強面部１３の下端部（１Ｂ）とパイプ保持部１２の先端部（１Ｃ）とが三角形のトラス構造を形成するように設けてある。
補強面部１３は、その端部が基部１１と一体に壁面３に当接し、パイプ保持部１２に端部を挿入して支持されたパイプ２に衣服を吊るすことで保持具１に加わる荷重に対して保持具１を下方から支えるように機能する。
【００２５】
このように構成された本形態の保持具１によれば、収納スペースなどの壁面３に基部１１をあてがい、ネジ孔１１ａに通した留めネジを壁面３に螺合して取り付け、対向壁面にも同様に保持具１を取り付け、両保持具１，１でパイプ２の両端部を支持させることで、衣服や仕切用のカーテンなどを吊るしたり掛けたりするパイプ２が収納スペース内に設置される。
【００２６】
保持具１へのパイプ２の挿入は、パイプ２の端部をパイプ保持部１２の両側面部１２ｂ，１２ｂの上端部にあてがい、そのまま下方へ押し込んでパイプ保持部１２の底面部１２ａ上に載せることで行うことができる。
前記両側面部１２ｂ，１２ｂは、その上端部よりも下側にパイプ２の外径よりも狭い窄まり部１２ｃが配置されているが、両側面部１２ｂ，１２ｂと基部１１との付け根部にスリット１４，１４が形成されて両側面部１２ｂ，１２ｂがその内外方向へ弾性変形が可能となっているため、パイプ２の端部を強く下方へ押し込めば、図６に示されるように、両側面部１２ｂ，１２ｂが外側へ変形して（図中の破線）、パイプ２が前記窄まり部１２ｃを乗り越えて底面部１２ａに進入し、パイプ保持部１２に挿入させることができる。
【００２７】
パイプ保持部１２に挿入されたパイプ２は、底面部１２ａ上に載ってその周囲が底面部１２ａと両側面部１２ｂ，１２ｂとに包囲されて、挿入位置に保持される。しかも、底面部１２ａ上に載ったパイプ２の上方には両側面部１２ｂ，１２ｂの窄まり部１２ｃが配置されるため、パイプ２に上向きの力が加わって上方へ変位しても、窄まり部１２ｃがパイプ２に衝突して上方への変位を規制し、パイプ保持部１２から抜け外れることを防止してパイプ２を挿入位置に固定することができる。
【００２８】
パイプ２を保持具１から取り外すときは、パイプ２の端部を上方へ引き上げるとパイプ２の表面が両側面部１２ｂ，１２の窄まり部１２ｃに当接するが、強く引き上げれば両側面部１２ｂ，１２ｂが外側へ変形して窄まり部１２ｃの間隔が広がり、パイプ２をパイプ保持部１２から抜き取ることができる。
【００２９】
前記パイプ２の抜き差し操作の際、一旦外側へ広がった両側面部１２ｂ，１２ｂは自身の弾性により元の位置に復元するので、パイプ２の抜き差し操作を繰り返してもパイプ保持部１２に挿入されたパイプ２を挿入位置に固定する機能が低下する虞はない。
本考案の保持具によれば、パイプの端部の抜き差し操作を容易に行え、しかも挿入されたパイプの端部を当該挿入位置に安定して固定しておくことが可能である。
【００３０】
また、前記のとおり、壁面３に基部１１を取り付けたときに、壁面３に基部１１と補強面部１３の端部が接合するとともに、補強面部１３と基部１１との境界（１Ａ）と補強面部１３の下端部（１Ｂ）とパイプ保持部１２の先端部（１Ｃ）とが三角形のトラス構造を形成するように設けられているので、パイプ２を保持させたときに部材に発生するモーメントを抑制し、軸力のみの支持により掛かる荷重を増すことが実現される。トラス構造によりモーメントを抑制した結果、製品に掛かる荷重は、圧縮又は軸力のみに軽減することを可能とし、パイプ保持部１２とそれを下より支える構造力学的部位により、トラス構造を形成し、モーメントを抑制した結果、製品の耐久性が向上する。
【００３１】
前記構成の保持具１は、パイプ２の支持の他、簡易的空間遮蔽のためのカーテンなどを利用しての疾病の感染対策や、パーソナルスペースの確保のための補助具としても利用が可能である。
新型肺炎の感染拡大に伴い、各所でパーソナルスペースの確保及び、飛沫蔓延対策が取られているが、簡易にレールを設けることが難しい。その対策として、本考案の保持具１を向かい合う壁面に取り付け、パイプ２を架け渡し、これにビニールカーテンや遮蔽カーテン、ブラインドスクリーンなどを進退自在に支持させたり掛けたりするなどして空間を区切ることが可能である。ビニールカーテンは色々なところで使用されている。間仕切り、ウイルス対策、飛沫防止を目的とし、レジカウンターや喫煙ブース、病院や倉庫等、様々な場所に使用されている。飛沫防止など衛生面を求められる場所において、遮蔽物の転倒や落下を回避すべく、対向内壁面に自在に取り付けられ、架設位置を任意に選択し得るように設けられている。
【００３２】
前記形態の一対の保持具１を対向壁面にそれぞれ取り付け、直径１５ｍｍ、肉厚０．５ｍｍ、長さ１０００ｍｍのステンレスパイプを保持させて架け渡し、実証実験をしたところ、４０ｋｇの荷重にも耐え、通常ビニールカーテンで多用されるＥＡＶ素材、巾１８００ｍｍ、丈（高さ）２２００ｍｍ、重さ約０．６ｋｇの使用が可能であった。さらに衣類などを吊るしたときの荷重にも耐えられると判断される。
【００３３】
なお、図示した保持具の形態は一例であり、本考案の保持具は他の適宜な形態で構成可能である。
【符号の説明】
【００３４】
１  保持具、１１  基部、１２  パイプ保持部、１２ａ  底面部、１２ｂ，１２ｂ  側面部、１２ｂ１，１２ｂ２  円弧面、１２ｃ  窄まり部、１３  補強面部、１４  スリット、２  パイプ、３  壁面
【図１】
0003235591.tif 000003
【図２】
0003235591.tif 000004
【図３】
0003235591.tif 000005
【図４】
0003235591.tif 000006
【図５】
0003235591.tif 000007
【図６】
0003235591.tif 000008
【図７】
0003235591.tif 000009